【手続補正書】
【提出日】平成18年12月21日(2006.12.21)
【手続補正１】
【補正対象書類名】明細書
【補正対象項目名】０００７
【補正方法】変更
【補正の内容】
【０００７】
本発明によれば、キー入力に対する赤外線制御データに、機器制御装置のポート番号とそのポート番号に対応する電子機器の赤外線コードを重畳したので、機器制御装置に複数の電子機器が接続されている場合でも、ポート番号より容易に電子機器を特定することができ、制御対象の電子機器に確実に所望の動作を行わせることができる。したがって、一つの機器制御装置を用いて、種類に関係なく複数の電子機器の中から、特定の電子機器を確実に遠隔操作できる。
【手続補正２】
【補正対象書類名】明細書
【補正対象項目名】０００９
【補正方法】変更
【補正の内容】
【０００９】
図１は、本発明の第１実施の形態例に係るシステム構成を示す図である。図１に示すように、本例のシステムは、いわゆるリモコンとして機能する遠隔操作装置１、クレードル２、無線のアクセスポイント（以下、「ＡＰ」という)３、ＬＡＮ（Local Area Network）などの通信回線網４、機器制御装置５から構成される。機器制御装置５の各ポートＰ１，Ｐ２，Ｐ３，Ｐ４，Ｐ５に接続されている赤外線発光部６ａ，６ｂ，６ｃ，６ｄ，６ｅは、各電子機器１１，１２，１３，１４，１５の赤外線受光部１１ａ，１２ａ，１３ａ，１４ａ，１５ａに備え付けられている。電子機器には、例えばビデオデッキ、ＣＤプレーヤ、ＤＶＤプレーヤ、ＨＤＤ（ハードディスク）プレーヤなどが挙げられるが、この例に限るものではない。これら赤外線発光部６ａ〜６ｅと、赤外線受光部１１ａ，１２ａ，１３ａ，１４ａ，１５ａは、赤外線信号が届く範囲内の距離をおいて配置されていてもよい。
【手続補正３】
【補正対象書類名】明細書
【補正対象項目名】００１３
【補正方法】変更
【補正の内容】
【００１３】
図５は、クレードル２のブロック構成例を示すものである。クレードル２は、遠隔操作装置１及びＡＰ３と通信を行なう機能や遠隔操作装置１の充電器としての機能を持つ。クレードル２は、遠隔操作装置１と通信する非ＩＰプロトコル用無線通信部３１、通信回線網４と通信するＩＰプロトコル用通信部３２、ＩＰプロトコル用無線通信部３３、例えばフラッシュメモリ等からなる不揮発性メモリ３４、これら各部の制御及び各種の演算処理を行なうＣＰＵ等からなる制御部３５から構成されている。これらの各部がバスで接続された構成でもよい。
【手続補正４】
【補正対象書類名】明細書
【補正対象項目名】００１５
【補正方法】変更
【補正の内容】
【００１５】
次に、上記第１実施の形態例に係るシステム構成の動作について説明する。
図７は、遠隔操作装置１、クレードル２及び機器制御装置５の動作フローチャートを示すものである。まず、利用者は、遠隔操作前に、機器制御装置５に接続した電子機器の機種を設定する。制御部２７は、設定された内容を不揮発性メモリ２６に記憶している第２テーブルに登録する（ステップＳ１）。続いて、利用者によりその電子機器が機器制御装置５のどのポートに接続されているかを設定後、制御部２７は設定された内容を不揮発性メモリ２６に記憶されている第１テーブルに登録する（ステップＳ２）。
【手続補正５】
【補正対象書類名】明細書
【補正対象項目名】００２３
【補正方法】変更
【補正の内容】
【００２３】
図１１は、第１実施の形態例に係るシステム構成（システム１）の通信シーケンスを示すものである。この例では、キー入力が１つの場合を表している。本例では、遠隔操作装置１から機器制御装置５に対して、ＳＯＡＰ（Simple Object Access Protocol）メッセージを用いて、赤外線用制御データを送信することができ、同様に機器制御装置５はＳＯＡＰメッセージを用いて応答（Ａｃｋ信号）を返信できる。
図１１に示すように、遠隔操作装置１からの赤外線コントロールデータは、クレードル２へ非ＩＰプロトコルにより送信される。そして、クレードル２でＩＰプロトコルへの変換処理がなされ、ＩＰコントロールデータとしてＩＰ通信によりアクセスポイント３に送信される。アクセスポイント３は、ＩＰコントロールデータを機器制御装置５へ送信する。機器制御装置５は、ＩＰコントロールデータを受信すると、データ転送が正常に終了した旨の応答（Ａｃｋ信号）を送信元へ返信する。このＡｃｋ信号は、アクセスポイント３、クレードル２へ順次転送される。そして、クレードル２でＩＰプロトコルから非ＩＰプロトコルへの変換処理がなされ、遠隔操作装置１へ転送される。遠隔操作装置１がＡｃｋ信号を受け取ると、キー入力による一連の動作が完了する。
【手続補正６】
【補正対象書類名】明細書
【補正対象項目名】００２６
【補正方法】変更
【補正の内容】
【００２６】
次に、本発明の第２実施の形態例について説明する。
図１３は、本発明の第２実施の形態例に係るシステム構成を示す図である。本例のシステムは、図１に示すシステム構成に対してアクセスポイントを除去したものであり、遠隔操作装置１、クレードル２、通信回線網４、機器制御装置５から構成される。
【手続補正７】
【補正対象書類名】明細書
【補正対象項目名】００２９
【補正方法】変更
【補正の内容】
【００２９】
図１４は、図１３に示す第２実施の形態例に係るシステム構成（システム２）の通信シーケンスを示すものである。この例は、キー入力が１つの場合である。図１４に示すように、遠隔操作装置１からの赤外線コントロールデータは、クレードル２へ非ＩＰプロトコルにより送信される。そして、クレードル２でＩＰプロトコルへの変換処理がなされ、ＩＰコントロールデータとしてＩＰ通信により機器制御装置５へ送信される。機器制御装置５は、ＩＰコントロールデータを受信すると、データ転送が正常に終了した旨の応答（Ａｃｋ信号）を送信元のクレードル２へ返信する。そして、クレードル２でＩＰプロトコルから非ＩＰプロトコルへの変換処理がなされ、遠隔操作装置１へ転送される。遠隔操作装置１がＡｃｋ信号を受け取ると、キー入力による一連の動作が完了する。
【手続補正８】
【補正対象書類名】明細書
【補正対象項目名】００３４
【補正方法】変更
【補正の内容】
【００３４】
図１６は、図１５に示す第３実施の形態例に係るシステム構成（システム３）の通信シーケンスを示すものである。この例は、キー入力が１つの場合である。図１６に示すように、遠隔操作装置１からの赤外線コントロールデータは、アクセスポイント３へＩＰプロトコルにより送信される。そして、アクセスポイント３を介してＩＰプロトコルデータとしてＩＰ通信により機器制御装置５へ送信される。機器制御装置５は、ＩＰコントロールデータを受信すると、データ転送が正常に終了した旨の応答（Ａｃｋ信号）を送信元のアクセスポイント３へ返信する。そして、アクセスポイント３から遠隔操作装置１へ転送される。遠隔操作装置１がＡｃｋ信号を受け取ると、キー入力による一連の動作が完了する。
【手続補正９】
【補正対象書類名】明細書
【補正対象項目名】００３９
【補正方法】変更
【補正の内容】
【００３９】
図１８は、図１７に示す第４実施の形態例に係るシステム構成（システム４）の通信シーケンスを示すものである。この例は、キー入力が１つの場合である。図１８に示すように、遠隔操作装置１からの赤外線コントロールデータが、非ＩＰ通信により機器制御装置５へ送信される。機器制御装置５は、非ＩＰコントロールデータを受信すると、データ転送が正常に終了した旨の応答（Ａｃｋ信号）を送信元の遠隔操作装置１へ返信する。遠隔操作装置１がＡｃｋ信号を受け取ると、キー入力による一連の動作が完了する。